(57)【要約】【課題】原稿搬送中に光学系の反射光経路であるＡＤＦ原稿ガラス上に付着するゴミや塵等を除去し、読取画像に縦すじを発生させずに高品質な画像を読み取ることができる画像読取装置を提供する。【解決手段】自動原稿給送装置により原稿ガラス４１上で一定速度で移動する原稿を、下方の固定位置にあるキャリッジ５０で読み取るシートスルー方式の画像読取装置であって、原稿ガラス４１上の異物を自動で取り除く清掃部材６１を備えた。【選択図】        図１
2004221727.tif 000002
【特許請求の範囲】
【請求項１】
自動原稿給送装置により原稿ガラス上で一定速度で移動する原稿を、下方の固定位置にあるキャリッジで読み取るシートスルー方式の画像読取装置であって、原稿ガラス上の異物を自動で取り除く清掃部材を備えたことを特徴とする画像読取装置。
【請求項２】
請求項１記載の画像読取装置において、清掃部材は、キャリッジの往復動作に連動して原稿ガラス表面を往復摺動することを特徴とする画像読取装置。
【請求項３】
請求項２記載の画像読取装置において、キャリッジはシェーディング動作を行うことを特徴とする画像読取装置。
【請求項４】
請求項２記載の画像読取装置において、キャリッジと清掃部材が非接触であることを特徴とする画像読取装置。
【請求項５】
請求項４記載の画像読取装置において、キャリッジには磁性部材が搭載され、磁性部材の上方にあって原稿ガラス長手方向両端外方には、原稿ガラスの幅方向に移動可能で磁性部材と磁気結合する鉄製部材が設けられかつ、鉄製部材間に糸状の清掃部材が張設されていることを特徴とする画像読取装置。
【発明の詳細な説明】
【０００１】
【発明の属する技術分野】
本発明は本発明は画像読取装置に関し、特に、シートスルータイプの画像読取装置におけるコンタクトガラス清掃技術に関する。
【０００２】
【従来の技術】
自動原稿給送装置（以下、「ＡＤＦ」と称する）により原稿ガラス上で一定速度で移動する原稿を、下方の固定位置にあるキャリッジで読み取る方式、いわゆるシートスルータイプの画像読取装置が知られている。
【０００３】
図３は、そのようなＡＤＦを備えた従来の画像読取装置の全体構成を示し、図４及び図５は、図３のガイド手段２０周辺を拡大して示している。ＡＤＦの給送部１０では、原稿トレイ１１に積載された原稿Ｐは、呼び出しローラ１２の回転により分離ローラ１３に送られる。この分離ローラ１３により一番上の原稿Ｐのみが分離されて給紙ローラ１４に搬送される。給紙ローラ１４を経てガイド手段２０である前側ガイド２１、原稿押さえ板２２、及び後側ガイド２３により形成された搬送路内に案内された原稿Ｐは、ＡＤＦ原稿ガラス４１上の露光位置で画像が読み取られる。
【０００４】
光学ユニットは画像読取装置４０内に搭載されており、ＡＤＦ原稿ガラス４１上を通過する原稿画像面に対して第１キャリッジ５０の光源４２からの照射を行い、その反射光が、第１ミラー４３、第２ミラー４４、及び第３ミラー４５を介してレンズ４６を通過することにより、画像処理基板上４７のＣＣＤ４８に結像される。
【０００５】
上記ＡＤＦ原稿ガラス４１上を移動しながら画像を読み取られた原稿Ｐは、後側ガイド２３に案内され、排紙部３０の排紙ローラ３１により図示しない排紙トレイに排紙される。なお、符号４９は、載置用のコンタクトガラスであり、例えば上記ＡＤＦを使用できないＢＯＯＫ原稿を読みとる場合に用いられる。
【０００６】
ところで、上記構成のＡＤＦにおいて、原稿Ｐからゴミや塵等の付着物ＤがＡＤＦ原稿ガラス４１上に移り、これにより画像に縦筋が発生するという不具合がある。これは、図５に示すように、原稿Ｐの先端が排紙ローラ３１に到達すると、原稿Ｐは排紙ローラ３１により矢印方向に引っ張られ、ＡＤＦ原稿ガラス４１と、原稿Ｐとの間に上記隙間Ａに応じた分だけ空間ができるためである。
【０００７】
すなわち、このような空間がなければゴミや塵等は、搬送される原稿ＰによってＡＤＦ原稿ガラス４１上からこすり取られるので付着することはないが、搬送中にそのような隙間ができるためにゴミや塵が付着しやすくなる。ＡＤＦ原稿ガラス４１面は光学ユニットからの反射光経路であることから、ここに付着物Ｄが存在するとその位置における反射が阻害され、読み取り画像に縦すじが発生することとなる。
【０００８】
このような不具合を解消する従来技術として、特許文献１として清掃用パッドを用いたものが、特許文献２としてユーザーメンテナンスが簡易にできるものが紹介されている。
【０００９】
【特許文献１】
特開平７−２３９６０４号公報
【特許文献２】
特開平１１−０７２９７５号公報
【００１０】
【発明が解決しようとする課題】
上記従来技術に紹介されているものは装置が大掛かりで製造コストがかさむという不具合や、ユーザーがメンテナンスをしなくてはならず手間がかかるという不具合があった。
【００１１】
そこで、本発明の目的は、原稿搬送中に光学系の反射光経路であるＡＤＦ原稿ガラス上に付着するゴミや塵等を除去し、読取画像に縦すじを発生させずに高品質な画像を読み取ることができるＡＤＦ搭載の画像読取装置を簡便な機構で且つ安価に提供することにある。
【００１２】
【課題を解決するための手段】
上記目的を達成するために、請求項１記載の発明は、自動原稿給送装置により原稿ガラス上で一定速度で移動する原稿を、下方の固定位置にあるキャリッジで読み取るシートスルー方式の画像読取装置であって、原稿ガラス上の異物を自動で取り除く清掃部材を備えた画像読取装置を最も主要な特徴とする。
【００１３】
請求項２記載の発明は、請求項１記載の画像読取装置において、清掃部材は、キャリッジの往復動作に連動して原稿ガラス表面を往復摺動する画像読取装置を主要な特徴とする。
【００１４】
請求項３記載の発明は、請求項２記載の画像読取装置において、キャリッジはシェーディング動作を行う画像読取装置を主要な特徴とする。
【００１５】
請求項４記載の発明は、請求項２記載の画像読取装置において、キャリッジと清掃部材が非接触である画像読取装置を主要な特徴とする。
【００１６】
請求項５記載の発明は、請求項４記載の画像読取装置において、キャリッジには磁性部材が搭載され、磁性部材の上方にあって原稿ガラス長手方向両端外方には、原稿ガラスの幅方向に移動可能で磁性部材と磁気結合する鉄製部材が設けられかつ、鉄製部材間に糸状の清掃部材が張設されている画像読取装置を主要な特徴とする。
【００１７】
【発明の実施の形態】
本発明の一実施形態を図面に基づいて説明する。本実施形態の画像読取装置は、上記従来例と同様の光学ユニットを備えている。従って、ここでは光学ユニットの説明及び図示を簡略化し、本発明に係る構成を中心に説明する。なお従来例と同一個所には同一符号を付す。
【００１８】
図１は、本発明の実施の形態に係る画像読取装置のシートスルー読取部の構成図、図２は、ＡＤＦ原稿ガラス部分の斜視図である。ＡＤＦは、前述したように、原稿Ｐを露光位置に給送する給送部１０と、露光位置に原稿Ｐを案内するガイド手段２０と、露光後の原稿Ｐを排紙する排紙部３０とを備えている。これらの各部は次のように構成されている。
【００１９】
給紙部１０は、給紙ローラ１４、及び図示していない原稿トレイ等により構成され、給紙ローラ１４の上流近傍に原稿検知手段としての給送部原稿センサ１５が設けられている。排紙部３０は、排紙ローラ３１、及び図示しない排紙トレイ等により構成され、排紙ローラ３１の下流近傍には原稿検知手段としての排紙部原稿センサ３２が設けられている。
【００２０】
ＡＤＦ原稿ガラス４１は導電性のものが使用されアースされている。またＡＤＦ原稿ガラス４１の手前と奥（長手方向両端外方）には図２に示すように、鉄製部材６０が左右にＡＤＦ原稿ガラス４１の幅だけ移動自在になるような原稿スケールの上に配置されている。そして一対の鉄製部材６０間に糸状の清掃部材６１が張設されている。
【００２１】
ガイド手段２０は前述したように、ＡＤＦ原稿ガラス４１の上流側（図中の左側）に配置される前側ガイド２１と、下流側に配置される後側ガイド２３と、原稿Ｐの浮きを防止するとともにＡＤＦ原稿ガラス４１の間に搬送可能な隙間を形成する原稿押さえ板２２により構成されている。また下方には第１キャリッジ５０が配置されている、第１キャリッジ５０上には光源４２、反射板６２、第１ミラー４３が配置され、さらに磁性部材６３が長手方向に２個、鉄製部材６０の真下にくるように配置されている。
【００２２】
後側ガイド２３とコンタクトガラス４１（図３参照）の間には白基準板６４が配置されており、１枚原稿を読む前ごとに白レベル補正を行うために、第１キャリッジ５０が図の右方向に移動して白基準板６４を読み込み、その後読取位置に戻ってくる動作を行う。すなわち第１キャリッジ５０は両矢印Ａ方向に移動してシェーディング動作を行なう。
【００２３】
このシェーディング動作により第１キャリッジ５０が動くと、第１キャリッジ５０上の磁性部材６３がＡＤＦ原稿ガラス４１横に設置された鉄製部材６０とそれに接続された清掃部材６１を引っ張って、清掃部材６１をＡＤＦ原稿ガラス４１上で往復させることなる。これにより読取ラインに付着したゴミやほこりは清掃部材６１により読取ライン外に除去される。よってシートスルーの読み取りを連続して行っている最中にも紙粉の除去作業ができ、途中から黒筋を伴った画像が出続けるというシートスルー方式特有の不具合を解消することが可能になる。
【００２４】
また、シェーディング動作を行わない読取装置においても、ＡＤＦ原稿ガラス４１上における紙粉は連続して同位置における画像の欠け（黒筋）になることから、数枚連続して同位置における画像の欠けを検出した場合に、第１キャリッジ５０の往復を数回行うアルゴリズムを搭載することにより、連続して使用した場合においても数枚の黒筋画像がでてしまうだけで、全コピー画像が黒筋を伴ってしまうという不具合を解消できる。
【００２５】
【発明の効果】
以上説明したように、本発明によれば、自動原稿給送装置により原稿ガラス上で一定速度で移動する原稿を、下方の固定位置にあるキャリッジで読み取るシートスルー方式の画像読取装置であって、キャリッジの往復動作に連動して原稿ガラス表面を往復摺動し、原稿ガラス上の異物を自動で取り除く清掃部材を備えたので、ユーザーに手間をかけることなく原稿ガラスの清掃が行われ、その結果読取画像の品質を確保することができる。またキャリッジと清掃部材が非接触であるため簡便で耐久性のある機構を構築することができる。
【図面の簡単な説明】
【図１】本発明の実施の形態に係る画像読取装置のシートスルー読取部の構成図である。
【図２】ＡＤＦ原稿ガラス部分の斜視図である。
【図３】ＡＤＦを備えた従来の画像読取装置の全体構成図である。図３のガイド手段周辺を拡大して示す図である。
【図４】図３のガイド手段周辺を拡大して示す図である。
【図５】図３のガイド手段周辺を拡大して示す図である。
【符号の説明】
２０  ガイド手段
４１  ＡＤＦ原稿ガラス
５０  第１キャリッジ
６０  鉄製部材
６１  清掃部材
６６  磁性部材
６４  白基準板
【図１】
2004221727.tif 000003
【図２】
2004221727.tif 000004
【図３】
2004221727.tif 000005
【図４】
2004221727.tif 000006
【図５】
2004221727.tif 000007